(57)【特許請求の範囲】
【請求項１】
照明光を発生する光源と、
前記光源から出射された照明光を体腔内へ導く導光手段を接続可能な接続手段と、
前記接続手段に前記導光手段が接続されているか否かを検知する検知手段と、
前記光源と前記接続手段との間の光路上にあって前記光源から前記接続手段へ照射される照明光の透過光量を変更可能に規制する絞り装置と、
前記絞り装置を制御する絞り制御信号を出力する調光回路と、
前記検知手段によって前記接続手段に前記導光手段が接続されていないと検知されたとき、前記絞り装置で光量を低下させるような絞り制御信号を前記調光回路から発生するように当該調光回路を制御する制御手段と、
を具備したことを特徴とする内視鏡用光源装置。
【請求項２】
前記制御手段は、前記検知手段によって前記接続手段に前記導光手段が接続されていないと検知されたとき、前記絞り装置を全閉するように制御することを特徴とする請求項１に記載の内視鏡用光源装置。
【請求項３】
照明光を発生する光源と、
前記光源から出射された照明光を体腔内へ導く導光手段を接続可能な接続手段と、
前記光源から前記接続手段へ照射される照明光の光量を調整する絞り装置と、
前記接続手段に前記導光手段が接続されているか否かを検知する検知手段と、
前記検知手段によって前記接続手段に前記導光手段が接続されていないと検知されると前記絞り装置を全閉にし、前記接続手段に前記導光手段が接続されていると検知されると任意に設定される明るさに基づいて前記絞り装置を駆動するように制御する制御手段と、
を具備したことを特徴とする内視鏡用光源装置。
【発明の詳細な説明】
【０００１】
【産業上の利用分野】
本願発明は、内視鏡用光源装置の絞り装置の改良に関する。
【０００２】
【従来の技術】
図８は従来の内視鏡用光源装置の一例である。内視鏡装置１０１は、図７に示すように、内視鏡１０２と、内視鏡１０２の接眼部１０３に装着されているカメラヘッド１０４と、カメラヘッド１０４からのビデオ信号に対し所定の処理を施すカメラコントロールユニット（以下、「ＣＣＵ」という）１０５と、内視鏡１０２に照明光を供給する光源装置１０６とを備えている。
【０００３】
内視鏡１０２は、体腔内などに挿入される細長い挿入部１０７を有し、挿入部１０７には照明光を伝送するライトガイド（図示せず）が挿通されている。ライトガイドはライトガイドケーブル１０８を介して外部に導出され、ライトガイドケーブル１０８はその端部に設けられているコネクタ１０９によって光源装置１０６に接続されている。
【０００４】
ＣＣＵ１０５は、内視鏡１０２が捕らえた映像に対応するビデオ信号を生成すると共に内視鏡１０２の視野内にある被写体の明るさに比例する直流信号からなる画像明るさ信号を生成する。
光源装置１０６は、光源１１０と、光源１１０からライトガイドケーブル１０８へ向かう光量を調節するための絞り１１１とを有し、絞り１１１はその絞り量に応じて光源１１０の透過光量を規制し、絞り１１１の絞り量は調光回路１１２で制御される。
【０００５】
調光回路１１２は、２つの端子１１３，１１４を含み、端子１１３にはＣＣＵ１０５からのビデオ信号がビデオ信号ケーブル１１５を介して供給され、端子１１４にはＣＣＵ１０５からの画像明るさ信号が画像明るさ信号ケーブル１１６を介して供給される。
また、この光源装置１０６には写真撮影の機能があり、絞り１１１と同じ光軸上に絞り１１１とは別に写真撮影用のシャッター１１７が設けられている。これは、写真撮影時に、露光時間を制御するためのもので、挿入部１０７に挿通されている照明光を伝送するライトガイド（図示せず）への入射光を制御することによって露光制御を行う。つまり、シャッター１１７が全開時には、光源１１０の出射光をそのまま出射し、シャッター１１７が全閉時には、光源１１０の出射光を遮光し、この全開の時間を制御することによって、露光時間を決定している。
【０００６】
ところで、内視鏡１０２を使用した後に消毒する場合や、長さや機能の異なった内視鏡に交換する場合には、内視鏡１０２を光源装置１０６から抜き取る。この場合、光源１１０を消灯することを忘れていると、光源１１０の光量が光源装置１０６から外部に漏れてしまう。すると、光源１１０の光量は相当に明るいため、光源装置１０６の周囲にいる患者や術者などの目がしばらく見えなくなってしまう恐れがある。
【０００７】
そこで、従来は、光源装置１０６とコネクタ１０９との接続の有無を検知して、コネクタ１０９が接続されている時には、シャッター１１７を通常動作させ、コネクタ１０９が接続されていない時には、強制的にシャッター１１７を閉じるようにしていた。これにより、ランプ１１０の点灯後、光源装置１０６からコネクタ１０９を抜いたり、光源装置１０６へコネクタ１０９を接続していない状態で光源１００を点灯させた場合でも、光源装置１０６から光源１１０の光量が漏れる心配はなかった。
【０００８】
【発明が解決しようとする課題】
しかしながら、写真撮影の機能がない、つまりシャッター１１７がない光源装置においては、光源装置の光源が点灯している状態で、ライトガイドケーブルのコネクタを抜くと、光源の光が漏れてしまう。この問題に対処すべく、ライトガイドケーブルのコネクタが抜かれた時に行う遮光のためだけに、シャッター１１７及びこのシャッター１１７の駆動装置等を設けるには、原価低減の要請から困難であった。
【０００９】
本願発明は、上記事情に鑑みてなされたものであり、写真撮影の機能がない光源装置においても、光源装置の光源が点灯している状態でライトガイドケーブルのコネクタを抜いたり、或いは光源装置へコネクタを接続していない状態で光源を点灯した場合でも、光源の光が光源装置から漏れない安価な光源装置を提供することを目的とする。
【００１０】
【課題を解決するための手段】
本発明の内視鏡用光源装置は、照明光を発生する光源と、前記光源から出射された照明光を体腔内へ導く導光手段を接続可能な接続手段と、前記接続手段に前記導光手段が接続されているか否かを検知する検知手段と、前記光源と前記接続手段との間の光路上にあって前記光源から前記接続手段へ照射される照明光の透過光量を変更可能に規制する絞り装置と、前記絞り装置を制御する絞り制御信号を出力する調光回路と、前記検知手段によって前記接続手段に前記導光手段が接続されていないと検知されたとき、前記絞り装置で光量を低下させるような絞り制御信号を前記調光回路から発生するように当該調光回路を制御する制御手段と、を具備したことを特徴とする。
本発明の他の内視鏡用光源装置は、照明光を発生する光源と、前記光源から出射された照明光を体腔内へ導く導光手段を接続可能な接続手段と、前記光源から前記接続手段へ照射される照明光の光量を調整する絞り装置と、前記接続手段に前記導光手段が接続されているか否かを検知する検知手段と、前記検知手段によって前記接続手段に前記導光手段が接続されていないと検知されると前記絞り装置を全閉にし、前記接続手段に前記導光手段が接続されていると検知されると任意に設定される明るさに基づいて前記絞り装置を駆動するように制御する制御手段と、を具備したことを特徴とする。
【００１１】
【作用】
この構成によれば、光源装置の光源が点灯している状態で、前記光源装置の接続手段から前記導光手段を抜いたり、或いは前記光源装置へ前記導光手段を接続していない状態で前記光源を点灯した場合には、前記検知手段によって前記導光手段が前記光源装置に接続されていないことが検知され、前記光源から前記接続手段へ照射される照明光の光量を低下させるように前記光量調整手段が制御される。
【００１２】
【実施例】
以下、図面を参照して本願発明の実施例を説明する。
図１，図２は本願発明の第１実施例に係わり、図１は、本願発明の光源装置の制御を示す図、図２は本願発明の光源装置を内視鏡装置に用いた場合の概略構成図である。図２に示すように、内視鏡装置１は、内視鏡２と、内視鏡２の接眼部３に装着されているカメラヘッド４と、カメラヘッド４からのビデオ信号に対し所定の処理を施すカメラコントロールユニット（以下、ＣＣＵという）５と、内視鏡２に照明光を供給する光源装置６とを備えている。
【００１３】
内視鏡２は、体腔内などに挿入される細長い挿入部７を有し、挿入部７には照明光を伝送するライトガイド（図示せず）が挿通されている。ライトガイドはライトガイドケーブル８を介して外部に導出され、ライトガイドケーブル８はその端部に設けられているコネクタ９によって光源装置６に接続されている。
ＣＣＵ５は、内視鏡２が捕らえた映像に対応するビデオ信号を生成すると共に内視鏡２の視野内にある被写体の明るさに比例する直流信号からなる画像明るさ信号を生成する。
【００１４】
光源装置６は、光源１０と、光源１０からライトガイドケーブル８へ向かう光量を調節するための絞り１１とを有している。絞り１１はその絞り量に応じて光源１０の透過光量を規制し、絞り１１の絞り量は調光回路で制御される。
調光回路１２は、２つの端子１３，１４を含み、端子１３にはＣＣＵ５からのビデオ信号がビデオ信号ケーブル１５を介して供給され、端子１４にはＣＣＵ５からの画像明るさ信号が画像明るさ信号ケーブル１６を介して供給される。
【００１５】
なお、この光源装置６は写真撮影の機能を有しておらず、図８に示すような写真撮影用のシャッター１１７は設けられていない。
次に、光源装置６について図１を用いて説明する。
光源装置６には、コネクタ有無検出手段１７が設けられており、例えば、フォトインターラプターなどを使用して、内視鏡２のライトガイドケーブル８の端部に設けられているコネクタ９がコネクタ挿入部１８に挿入されたか否かを検出する。この検出結果は、コネクタ有無信号としてＣＰＵ１９へ出力される。ＣＰＵ１９では、希望明るさ設定部２０からの希望明るさ信号ａに比例した大きさの信号を出力するか、あるいは別の大きさの信号を出力するか、をコネクタ有無信号に基づいて判断し、希望明るさ信号ｂを調光回路１２へ出力する。調光回路２１では、希望明るさ信号ｂとＣＣＵ５からの画像明るさ信号とを比較し、絞り装置２２を制御するための絞り制御信号を作成する。
【００１６】
次に、図１に示す光源装置６の作用について説明する。
内視鏡２のライトガイドケーブル８の端部に設けられているコネクタ９がコネクタ挿入部１８に挿入されている場合は、コネクタ有無検出手段１７により、コネクタ９が接続されていることをコネクタ有無信号としてＣＰＵ１９へ知らせる。ＣＰＵ１９では、このコネクタ９が接続されているというコネクタ有無信号に基づき、ユーザーによって設定される希望明るさ信号ａに比例した大きさの信号を、希望明るさ信号ｂとして調光回路２１に出力する。この結果、調光回路１２では、ユーザーによって設定される希望明るさ信号ａとＣＣＵ５からの画像明るさ信号とにより調光が行われるため、ユーザーの希望に沿った明るさの調光を行うことができる。
【００１７】
これに対して、コネクタ９がコネクタ挿入部１８から抜かれている場合は、コネクタ有無検出手段１７により、コネクタ９が接続されていないことをコネクタ有無信号としてＣＰＵ１９へ知らせる。
ＣＰＵ１９では、このコネクタ９がコネクタ挿入部１８から抜かれているというコネクタ有無信号に基づき、ユーザーによって設定される希望明るさ信号ａの大小に関係なく、光源装置６から出射される光量が低くなるように、つまり絞り装置２２が閉じる方向に移動するように、希望明るさ信号ｂを調光回路２１に出力する。この場合、光源装置６から出射される光量が最も低くなるように、つまり絞り装置２２が全部閉じる状態になるように、希望明るさ信号ｂを調光回路２１に出力することが望ましいが、光源装置６の周辺の術者や患者が眩しいと感じない程度であれば、絞り装置２２を全部閉じなくてもよい。
【００１８】
調光回路１２は、絞り装置２２が全部閉じるように、または術者や患者が眩しいと感じない程度に閉じるように、絞り装置２２に絞り制御信号を送り、この結果絞り装置２２が閉じることになる。
これにより、コネクタ９がコネクタ挿入部１８から抜かれていても、光源装置６の外に照明光が漏れることはないので、光源装置６の周囲にいる患者や術者などの目がしばらく見えなくなってしまうという心配はない。また、照明光の漏れを防止するためだけに、シャッター及びこのシャッターの駆動装置等を設ける必要がなく、比較的安価な光源装置を提供することができる。
【００１９】
なお、例えば、光源装置６の電源スイッチとは別に光源１０のＯＮ／ＯＦＦスイッチが設けられているような場合、つまり光源１０の点灯が光源装置６の電源スイッチに連動していない場合では、絞り装置２２を閉じる条件に、さらに光源１０の点灯の有無を加えてもよい。すなわち、コネクタ９がコネクタ挿入部１８に接続されておらず、且つ光源１０が点灯している場合のみ絞り装置２２が閉じるようにしてもよい。
【００２０】
これにより、絞り装置２２の余計な動作が減り、消費電流の減少や絞りの寿命を延ばすことが期待できる。
次に、図３を参照して、本願発明の第２実施例を説明する。
本実施例では、第１実施例におけるようなＣＰＵ１９が設けられていない光源装置についての例を示す。また、本実施例の光源装置２３は、第１実施例における光源装置６とほとんど同様の構成である。よって、第１実施例と同一の構成については、同一符号を付してその説明を省略する。
【００２１】
本実施例の光源装置２３では、第１実施例におけるようなＣＰＵ１９の代わりに、希望明るさ信号制御手段２４を設けることによって、第１実施例とほぼ同様の機能を果している。つまり、希望明るさ信号制御手段２４では、希望明るさ設定部２０からの希望明るさ信号ａに比例した大きさの信号を出力するか、あるいは別の大きさの信号を出力するか、を第１実施例と同様のコネクタ有無信号に基づいて判断し、希望明るさ信号ｂを調光回路２１へ出力する。調光回路２１では、希望明るさ信号ｂとＣＣＵ５からの画像明るさ信号とを比較し、絞り装置２２を制御するための絞り制御信号を作成する。
【００２２】
次に、本実施例の光源装置２３の作用について説明する。
内視鏡２のライトガイドケーブル８の端部に設けられているコネクタ９がコネクタ挿入部１８に挿入されている場合は、コネクタ有無検出手段１７により、コネクタ９が接続されていることをコネクタ有無信号として希望明るさ信号制御手段２４へ知らせる。希望明るさ信号制御手段２４では、このコネクタ９が接続されているというコネクタ有無信号に基づき、ユーザーによって設定される希望明るさ信号ａに比例した大きさの信号を、希望明るさ信号ｂとして調光回路２１に出力する。この結果、調光回路１２では、ユーザーによって設定される希望明るさ信号ａとＣＣＵ５からの画像明るさ信号とにより調光が行われるため、ユーザーの希望に沿った明るさの調光を行うことができる。
【００２３】
これに対して、コネクタ９がコネクタ挿入部１８から抜かれている場合は、コネクタ有無検出手段１７により、コネクタ９が接続されていないことをコネクタ有無信号として希望明るさ信号制御手段２４へ知らせる。
希望明るさ信号制御手段２４では、このコネクタ９が接続されていないというコネクタ有無信号に基づき、ユーザーによって設定される希望明るさ信号ａの大小に関係なく、光源装置２３から出射される光量が低くなるように、つまり絞り装置２２が閉じる方向に移動するように、希望明るさ信号ｂを調光回路２１に出力する。この場合、光源装置２３から出射される光量が最も低くなるように、つまり絞り装置２２が全部閉じる状態になるように、希望明るさ信号ｂを調光回路２１に出力することが望ましいが、光源装置２３の周辺の術者や患者が眩しいと感じない程度であれば、絞り装置２２を全部閉じなくてもよい。
【００２４】
調光回路１２では、絞り装置２２が全部または術者や患者が眩しいと感じない程度に閉じるように絞り装置２２に絞り制御信号を送り、この結果、絞り装置２２が閉じることになる。
これにより、コネクタ９がコネクタ挿入部１８から抜かれていても、光源装置２３の外に照明光が漏れることはないので、光源装置２３の周囲にいる患者や術者などの目がしばらく見えなくなってしまうという心配はない。また、照明光の漏れを防止するためだけに、シャッター及びこのシャッターの駆動装置等を設ける必要がなく、比較的安価な光源装置を提供することができる。
【００２５】
なお、第１実施例と同じように、絞り装置２２を閉じる条件に、さらに光源１０の点灯の有無を加えてもよい。
次に、図４を参照して、本願発明の第３実施例を説明する。
本実施例では、第２実施例と同様に、第１実施例におけるようなＣＰＵ１９が設けられていない光源装置についての例を示す。また、本実施例の光源装置２５は、第１実施例における光源装置６とほとんど同様の構成である。よって、第１実施例と同一の構成については、同一符号を付してその説明を省略する。
【００２６】
図４に示すように、調光回路２１では、希望明るさ設定部２０からの希望明るさ信号とＣＣＵ５からの画像明るさ信号とを比較し、絞り装置２２を制御するための絞り制御信号ａを作成する。絞り制御信号制御手段２６では、絞り制御信号ａに比例した大きさの信号を出力するか、あるいは別の大きさの信号を出力するか、を第１実施例と同様のコネクタ有無信号に基づいて判断し、絞り装置２２を制御するための絞り制御信号ｂを出力する。
【００２７】
次に、本実施例の光源装置２５の作用について説明する。
調光回路１２では、ユーザーによって設定される希望明るさ信号とＣＣＵ５からの画像明るさ信号とにより調光が行われ、これに基づき絞り制御信号制御手段２６に絞り制御信号ａを出力する。
内視鏡２のライトガイドケーブル８の端部に設けられているコネクタ９がコネクタ挿入部１８に挿入されている場合は、コネクタ有無検出手段１７により、コネクタ９が接続されていることをコネクタ有無信号として絞り制御信号制御手段２６へ知らせる。絞り制御信号制御手段２６では、このコネクタ有無信号と調光回路１２からの絞り制御信号ａに基づき、絞り装置２２を制御するための絞り制御信号ｂを絞り装置２２に出力する。この結果、調光回路１２では、ユーザーによって設定される希望明るさ信号と画像明るさ信号とにより調光が行われるため、ユーザーの希望に沿った明るさの調光を行うことができる。
【００２８】
これに対して、コネクタ９がコネクタ挿入部１８から抜かれている場合は、コネクタ有無検出手段１７により、コネクタ９が接続されていないことをコネクタ有無信号として絞り制御信号制御手段２６へ知らせる。
絞り制御信号制御手段２６では、このコネクタ有無信号に基づき、ユーザーによって設定される希望明るさ信号に基づいて作成された絞り制御信号ａに関係なく、光源装置２５から出射される光量が低くなるように、つまり絞り装置２２が閉じる方向に移動するように、絞り制御信号ｂを絞り装置２２に出力する。この場合、光源装置２５から出射される光量が最も低くなるように、つまり絞り装置２２が全部閉じる状態になるように、絞り制御信号ｂを絞り装置２２に出力することが望ましいが、光源装置２５の周辺の術者や患者が眩しいと感じない程度であれば、絞り装置２２を全部閉じなくてもよい。
【００２９】
これにより、コネクタ９がコネクタ挿入部１８から抜かれていても、光源装置２５の外に照明光が漏れることはなく、また漏れても術者や患者が眩しいと感じない程度なので、光源装置２５の周囲にいる患者や術者などの目がしばらく見えなくなってしまうという心配はない。また、照明光の漏れを防止するためだけに、シャッター及びこのシャッターの駆動装置等を設ける必要がなく、比較的安価な光源装置を提供することができる。
【００３０】
なお、第１及び第２実施例と同様に、絞り装置２２を閉じる条件に、さらに光源１０の点灯の有無を加えてもよい。
以上第１実施例から第３実施例までの光源装置は、カメラヘッド４が設けられている内視鏡撮像装置１で使用することについて述べたが、図５に示すように、カメラヘッドとＣＣＵとが一体であるＴＶカメラ２７を有する内視鏡撮像装置２８に使用することもでき、また、図６に示すように、電子スコープ２９および電子スコープ２９で捕らえた映像に対応するビデオ信号を生成するＣＣＵ３０を有する内視鏡撮像装置３１に使用することもできる。
【００３１】
ところで、内視鏡用光源装置では、図７に示すように、ターレット板２０１が図示していない光源からの照明光の光軸上に設けられている。このターレット板２０１には、減光のためのメッシュ２０２，２０３，２０４や非常灯２０５や通常使用時に照明光の光軸が通過する開口部２０６などが設けられている。そして、使用するスコープの種類やユーザー自身の選択によって、ターレット板２０１を図示していないモータで回転することにより選択される。
【００３２】
しかし、すべての種類の内視鏡用光源装置に、上記のようなメッシュ２０２等が設けられている訳ではなく、安価な内視鏡用光源装置のように機能が限定されて、非常灯２０５の使用時以外はターレット板２０１を回転させる必要のないものもある。
そこで、このような内視鏡用光源装置においては、使用する開口部２０６を照明光の光軸上で回転させる通常使用時において、非常灯２０５をランプ扉２０７のそばへ来るように配置することにより、ランプ扉２０７からの非常灯２０５の交換を容易している。
【００３３】
〔付記１〕
光源と、前記光源から出射された照明光を他の場所へ導く導光手段が接続可能な接続手段と、前記光源から前記接続手段へ照射される照明光の光量を調整する光量調整手段と、を有する光源装置において、
前記接続手段に前記導光手段が接続されているか否かを検知する検知手段と、前記検知手段によって、前記接続手段に前記導光手段が接続されていないと検知されると、前記光源から前記接続手段へ照射される照明光の光量を低下させるように前記光量調整手段を制御する制御手段と、
を具備することを特徴とする光源装置。
【００３４】
〔付記２〕
光源と、前記光源から出射された照明光を他の場所へ導く導光手段が接続可能な接続手段と、前記光源から前記接続手段へ照射される照明光の光量を調整する光量調整手段と、を有する光源装置において、
前記接続手段に前記導光手段が接続されているか否かを検知する検知手段と、前記検知手段によって、前記接続手段に前記導光手段が接続されていないと検知されると、前記光源から前記接続手段へ照射される照明光の光量を最小限に低下させるように前記光量調整手段を制御する制御手段と、
を具備することを特徴とする光源装置。
【００３５】
〔付記３〕
光源と、前記光源から出射された照明光を他の場所へ導く導光手段が接続可能な接続手段と、前記光源から前記接続手段へ照射される照明光の光量を調整する光量調整手段と、を有する光源装置において、
前記接続手段に前記導光手段が接続されているか否かを検知する検知手段と、前記検知手段によって、前記接続手段に前記導光手段が接続されていないと検知されると、前記光源から前記接続手段へ照射される照明光の光量を最小限に低下させるように前記光量調整手段を動作させ、前記接続手段に前記導光手段が接続されていると検知されると、ユーザーによって設定される希望の明るさに基づいて、前記光量調整手段を動作させるように制御する制御手段と、
を具備することを特徴とする光源装置。
【００３６】
〔付記４〕
光源と、前記光源から出射された照明光を体腔内へ導く導光手段が接続可能な接続手段と、前記光源から前記接続手段へ照射される照明光の光量を調整する絞り装置と、を有する内視鏡用光源装置において、
前記接続手段に前記導光手段が接続されているか否かを検知する検知手段と、前記検知手段によって、前記接続手段に前記導光手段が接続されていないと検知されると、前記絞り装置を閉じる方向に移動させるように制御する制御手段と、
を具備することを特徴とする内視鏡用光源装置。
【００３７】
〔付記５〕
光源と、前記光源から出射された照明光を体腔内へ導く導光手段が接続可能な接続手段と、前記光源から前記接続手段へ照射される照明光の光量を調整する絞り装置と、を有する内視鏡用光源装置において、
前記接続手段に前記導光手段が接続されているか否かを検知する検知手段と、前記検知手段によって、前記接続手段に前記導光手段が接続されていないと検知されると、前記絞り装置を全閉にするように制御する制御手段と、
を具備することを特徴とする内視鏡用光源装置。
【００３８】
〔付記６〕
光源と、前記光源から出射された照明光を体腔内へ導く導光手段が接続可能な接続手段と、前記光源から前記接続手段へ照射される照明光の光量を調整する絞り装置と、を有する内視鏡用光源装置において、
前記接続手段に前記導光手段が接続されているか否かを検知する検知手段と、前記検知手段によって、前記接続手段に前記導光手段が接続されていないと検知されると、前記絞り装置を全閉にし、前記接続手段に前記導光手段が接続されていると検知されると、ユーザーによって設定される希望の明るさに基づいて、前記絞り装置を駆動するように制御する制御手段と、
を具備することを特徴とする内視鏡用光源装置。
【００３９】
【発明の効果】
以上説明したように本願発明によれば、接続手段に導光手段が接続されているか否かを検知することにより、光源から前記接続手段へ照射される照明光の光量を調整する光量調整手段を制御することができるので、写真撮像機能を有していない、つまりシャッターが設けられていない光源装置においても、前記接続手段に前記導光手段が接続されていないときに、前記光源から前記接続手段へ照射されることによる照明光の漏れを防止でき、また照明光が漏れるとしても、光源装置の周囲にいる人が眩しくない程度に制限することができる。
【００４０】
これにより、光源装置の周囲にいる人の目がしばらく見えなくなってしまうという心配がなくなる。また、照明光の漏れを防止するためだけに、シャッター及びこのシャッターの駆動装置等を設ける必要がなく、比較的安価な光源装置を提供することができる。
【図面の簡単な説明】
【図１】本願発明の第１実施例に係わり、図２の要部である光源装置の説明図
【図２】本発明の第１実施例から第３実施例にに係わり、内視鏡撮像装置の概略図
【図３】本発明の第２実施例に係わり、光源装置の説明図
【図４】本発明の第３実施例に係わり、光源装置の説明図
【図５】本発明の第１実施例から第３実施例に係わり、図２とは異なった種類の内視鏡撮像装置の概略図
【図６】本発明の第１実施例から第３実施例に係わり、図２とは異なった種類の内視鏡撮像装置の概略図
【図７】内視鏡用光源装置に用いられるターレット板の説明図
【図８】写真撮像機能を有していない、つまりシャッターが設けられていない光源装置を有する内視鏡撮像装置の概略図
【符号の説明】
６  光源装置
１０  電源
１７  コネクタ有無検出手段
１８  コネクタ挿入部
１９  ＣＰＵ
２０  希望明るさ設定部
２１  調光回路
２２  絞り装置
【図１】
0003722508.tif 000002
【図２】
0003722508.tif 000003
【図３】
0003722508.tif 000004
【図４】
0003722508.tif 000005
【図５】
0003722508.tif 000006
【図６】
0003722508.tif 000007
【図７】
0003722508.tif 000008
【図８】
0003722508.tif 000009